(57)【要約】【課題】満杯のゴミ袋に簡単に取り付けることができ、取り付けられた状態で手を汚さずに容易に握ることができ、且つ量産可能なゴミ袋取っ手を安価で提供する。【解決手段】長寸方向両端縁が１０ｃｍ〜３０ｃｍの間隔を開けて互いに向かい合うように、同方向に直交する折り線に沿って１８０度折り曲げられているとともに、前記間隔に対応する部分の幅が細くなっているテープと、  折り曲げられて互いに対向するテープ内面の一方に形成された剥離剤からなる保護層と、  他方の内面に形成された粘着剤からなる固着層とを備えることを特徴とするゴミ袋取っ手。【選択図】図１
2018043820.tif 000002
【特許請求の範囲】
【請求項１】
長寸方向両端縁が１０ｃｍ〜３０ｃｍの間隔を開けて互いに向かい合うように、同方向に直交する折り線に沿って１８０度折り曲げられているとともに、前記間隔に対応する部分の幅が細くなっているテープと、
折り曲げられて互いに対向するテープ内面の一方に形成された剥離剤からなる保護層と、
他方の内面に形成された粘着剤からなる固着層と
を備えることを特徴とするゴミ袋取っ手。
【請求項２】
第一の面に粘着剤、第二の面に剥離剤が塗布されたテープを準備する工程と、
前記テープの長寸方向中間における１０ｃｍ〜３０ｃｍの長さ部分の両側に両長辺より短寸方向にテープ幅の四分の一長さの切り込みを入れる工程と、
長寸方向両側の切り込みに挟まれる領域Ｄ、Ｄを、第一の面を内側にして長辺に平行な線に沿って１８０度折り曲げる工程と、
両端縁から距離ａの領域Ａを、第一の面を内側にして１８０度折り曲げる工程と、
領域Ａが折り曲げられた後に領域Ａと重なる領域Ｂを、第一の面を内側にして１８０度折り曲げる工程と
を備え、
前記テープの全長をＬ、前記領域Ｄの長寸方向寸法をｄとするとき、６ａ＋ｄ≧Ｌ＞４ａ＋ｄであることを特徴とするゴミ袋取っ手の製造方法。
【発明の詳細な説明】
【技術分野】
【０００１】
この発明は、家庭ゴミを入れるゴミ袋を持ちやすくするための取っ手とその製造方法に関する。
【背景技術】
【０００２】
ほとんどの自治体において、家庭ゴミは透明ないし半透明の自治体指定のポリ袋に入れられ、指定場所に置かれ、清掃車にて回収される。ゴミ袋には、上端付近に手が入る程度の孔が開けられていて取っ手として利用できるようにしたものと、取っ手機能が付いていないものがある。取っ手がついていないものは、指定場所まで運ぶのに結び目等に指を引っかけなければならず、不便であるし、中のゴミに指が触れた場合にそのまま出勤しようとする住人にとっては不衛生でもある。また、取っ手が付いていたとしても、多くの住人は袋代を節約するために、一つの袋に満杯までゴミを充填したときは、烏や野良猫が漁ることのないように取っ手部分も結ぶ必要がある。従って、いずれにしても口を封じた状態で、満杯のゴミ袋を手の清潔さを保って運搬するのは困難であった。
【０００３】
そこで、例えばゴミ袋の口閉じ具なるものが提案されている（特許文献１）。これは、粘着テープと取っ手テープとからなり、粘着テープの粘着面と反対側の面に取っ手テープが重ねられ、両テープで環状をなすように互いに両端を連続させたものである。そして、未使用状態では粘着面に剥離紙が貼り付けられている。使用時には、剥離紙を剥がし、ゴミが充填されて口が結ばれたゴミ袋の口に口閉じ具の粘着面を貼り付け、取っ手テープを握ることで、ゴミ袋を持ち上げることができる。
【先行技術文献】
【特許文献】
【０００４】
【特許文献１】実用新案登録第３１１５８０７号公報
【発明の概要】
【発明が解決しようとする課題】
【０００５】
しかし、特許文献１に開示された口閉じ具は、粘着テープの一方の面全体に粘着剤が塗布されており、しかも取っ手テープが粘着テープと同じ長さであることから、満杯のゴミ袋の口に粘着面を貼り付けた状態では両テープで囲まれる空間が弓状になって指を入れにくい。また、前記のような口閉じ具を量産するのは非現実的である。
それ故、この発明の課題は、満杯のゴミ袋に簡単に取り付けることができ、取り付けられた状態で手を汚さずに容易に握ることができ、且つ量産可能なゴミ袋取っ手を安価で提供することにある。
【課題を解決するための手段】
【０００６】
その課題を解決するために、この発明のゴミ袋取っ手は、所定のテープと、保護層と、固着層とを備えることを特徴とする。テープは、長寸方向両端縁が１０ｃｍ〜３０ｃｍの間隔を開けて互いに向かい合うように、同方向に直交する折り線に沿って１８０度折り曲げられているとともに、前記間隔に対応する部分の幅が細くなっている。保護層は、剥離剤からなり、折り曲げられて互いに対向するテープ内面の一方に形成されている。固着層は、粘着剤からなり、互いに対向する前記テープ内面の他方に形成されている。保護層も固着層もテープの長寸方向両側に１つずつ形成されており、保護層と固着層のテープ長寸方向の寸法は通常等しいが、保護層が固着層よりも長く形成されていてもよい。
【０００７】
このゴミ袋取っ手によれば、未使用時は、固着層が保護層と合わせられているので、固着層が予定外の所に付くことはない。使用時には、折り曲げ部分を反転させるように固着層から保護層を引き離す。保護層が剥離剤からなるので、容易に引き離すことができる。そして、２つの固着層をゴミ袋の口に適当な間隔を開けて貼り付け、中央の細幅部分を握ることで、ゴミ袋を持ち上げることができる。貼り付ける２つの固着層の間隔を適当にすることで、テープとゴミ袋とで囲まれる空間を手の入れやすい環状にすることができる。
【０００８】
この発明のゴミ袋取っ手を製造する適切な方法は、
第一の面に粘着剤、第二の面に剥離剤が塗布されたテープを準備する工程と、
前記テープの長寸方向中間における１０ｃｍ〜３０ｃｍの長さ部分の両側に両長辺より短寸方向にテープ幅の四分の一長さの切り込みを入れる工程と、
長寸方向両側の切り込みに挟まれる領域Ｄ、Ｄを、第一の面を内側にして長辺に平行な線に沿って１８０度折り曲げる工程と、
両端縁から距離ａの領域Ａを、第一の面を内側にして１８０度折り曲げる工程と、
領域Ａが折り曲げられた後に領域Ａと重なる領域Ｂを、第一の面を内側にして１８０度折り曲げる工程と
を備え、
前記テープの全長をＬ、前記領域Ｄの長寸方向寸法をｄとするとき、６ａ＋ｄ≧Ｌ＞４ａ＋ｄであることを特徴とする。
【０００９】
この方法によれば、テープとして市販のガムテープを採用することができる。そして、Ｌ＞４ａ＋ｄであることから、領域Ａを折り曲げた後も粘着剤が露出する領域Ｃが存在し、これを固着層として用いることができる。領域Ｃと対向する領域Ｂの面に塗布されている剥離剤は、保護層となる。また、６ａ＋ｄ≧Ｌであることから、領域Ｂを折り曲げることにより、領域Ｃの全面が覆われて、未使用時の固着層を確実に保護することができる。
【発明の効果】
【００１０】
この発明のゴミ袋取っ手は、ゴミ袋に簡単に取り付けることができ、取り付けられた状態で手を汚さずに容易に握ることができ、しかもゴミ袋が満杯のときや、そのまま出勤するときなど、必要なときのみ使用すればよいので、使い勝手がよい。また、このゴミ袋取っ手は、安価であるから、ゴミ袋に取り付けたまま、使い捨てにすることができる。更に、既製のテープから簡単な工程を経て製造されるので、量産可能である。
【図面の簡単な説明】
【００１１】
【図１】（ａ）は実施形態のゴミ袋取っ手を示す斜視図、（ｂ）は同ゴミ袋取っ手を使用する直前の準備段階を示す斜視図である。
【図２】（ａ）は同ゴミ袋取っ手を示す平面図、（ｂ）は同じく長寸方向中心線に沿う断面図である。
【図３】同ゴミ袋取っ手を使用する直前の準備段階を示す平面図である。
【図４】同ゴミ袋取っ手の製造方法の一例を示す平面図である。
【図５】同ゴミ袋取っ手の使用状態を示す斜視図である。
【発明を実施するための形態】
【００１２】
一つの実施形態のゴミ袋取っ手１は、柔軟なテープ２と、保護層と、固着層とからなり、完成未使用状態で図１（ａ）及び図２に示すように平面視Ｉ字形をなす。テープ２は、長寸方向両端縁が１０ｃｍ〜３０ｃｍの間隔、すなわち前記Ｉ字の縦線部に相当する部分の長さを開けて互いに向かい合うように、同方向に直交する折り線に沿って１８０度折り曲げられている。
【００１３】
保護層は、図１（ｂ）及び図３に折り曲げ部分を反転させて元の展開状態で示すように、折り曲げられて互いに対向するテープ内面の一方の領域Ｂに剥離剤にて形成されている。固着層は、同じく折り曲げられて互いに対向するテープ内面の他方の領域Ｃに粘着剤にて形成されている。
【００１４】
ゴミ袋取っ手１は、クラフト紙などを図３に示す平面形状に打ち抜き又は切断し、領域Ｂに剥離剤、領域Ｃに粘着剤を塗布することにより、製造可能である。剥離剤と粘着剤との位置関係は逆であってもよく、すなわち領域Ｂに粘着剤、領域Ｃに剥離剤が塗布されていても良い。
【００１５】
ゴミ袋取っ手１は、第一の面に粘着剤、第二の面に剥離剤が塗布された市販のガムテープからでも製造可能である。この場合、図４（ａ）に示すように、テープの長寸方向中間における１０ｃｍ〜３０ｃｍの長さ部分の両側に両長辺より短寸方向にテープ幅の四分の一長さの切り込みｐを入れる。
【００１６】
そして、図４（ｂ）に示すように、テープ長寸方向両側の切り込みｐに挟まれる領域Ｄ、Ｄを、第一の面を内側にして長辺に平行な線に沿って１８０度折り曲げる。並行して、両端縁から距離ａの領域Ａを、第一の面を内側にして１８０度折り曲げる。この状態が前記製造方法の例における図３の状態に対応する。更に、領域Ａが折り曲げられた後に領域Ａと重なる領域Ｂを、第一の面を内側にして１８０度折り曲げることにより、図４（ｃ）に示すように完成する。
【００１７】
尚、図４の形態では、前記テープの全長をＬ、前記領域Ｄの長寸方向寸法をｄとするとき、６ａ＋ｄ＝Ｌとなっており、領域Ｂを折り曲げることにより、領域Ｃの全面がちょうど領域Ｂで覆われることとなる。
【００１８】
ゴミ袋取っ手１によれば、未使用時は、固着層が保護層と合わせられているので、固着層が予定外の所に付くことはない。使用時には、領域Ｂを反転させるように固着層から保護層を引き離し、図１（ｂ）、図３又は図４（ｂ）に示すような展開状態にする。保護層が剥離剤からなるので、容易に引き離すことができる。そして、図５に示すように、２つの固着層をゴミ袋の口に適当な間隔を開けて貼り付け、中央の細幅部分を握ることで、ゴミ袋を持ち上げることができる。貼り付ける２つの固着層の間隔を適当にすることで、テープとゴミ袋とで囲まれる空間を手の入れやすい環状にすることができる。
【００１９】
また、ゴミ袋取っ手１は、嵩張らないので、ゴミ袋に取り付けたままゴミ袋と一緒に回収してもらうことができる。従って、ゴミ袋を所定の置き場に置いた後、手を汚さず且つ余分な荷物を持たずに出勤することができる。集合住宅などのエントランスに至るまでの長い通路でゴミ袋を持ち歩く場合や、集積車の作業員がゴミ袋を持ち上げる場合にも便利である。
【符号の説明】
【００２０】
１  ゴミ袋取っ手
２  テープ
【図１】
2018043820.tif 000003
【図２】
2018043820.tif 000004
【図３】
2018043820.tif 000005
【図４】
2018043820.tif 000006
【図５】
2018043820.tif 000007